(57)【要約】【課題】デリバリーパックとしての機能を有しながら、コスト削減を徹底化させたデリバリーパックを提供する。【解決手段】荷物を配送する際に、書類を収納して配送品に貼り付けられるデリバリーパックであって、１枚のシートの一端の下側に、開口部がシートの中央側に向けられた袋体が書類を保持可能に形成されていると共に、袋体の下面側とシートの他端の上面側とに配送品に貼付可能な粘着剤が塗布されており、さらにそれぞれの粘着剤が剥離紙により覆われているデリバリーパック。荷物を配送する際に、書類を収納して配送品に貼り付けられるデリバリーパックであって、１枚のシートの一端の下側に、開口部がシートの中央側に向けられた袋体が書類を保持可能に形成されていると共に、袋体の下面側とシートの他端の下面側とに配送品に貼付可能な粘着剤が塗布されており、さらにそれぞれの粘着剤が剥離紙により覆われているデリバリーパック。【選択図】図２
2017024283.tif 000002
【特許請求の範囲】
【請求項１】
荷物を配送する際に、書類を収納して配送品に貼り付けられるデリバリーパックであって、
１枚のシートの一端の下側に、開口部が前記シートの中央側に向けられた袋体が前記書類を保持可能に形成されていると共に、
前記袋体の下面側と前記シートの他端の上面側とに、前記配送品に貼付可能な粘着剤が塗布されており、
さらに、それぞれの前記粘着剤が剥離紙により覆われていることを特徴とするデリバリーパック。
【請求項２】
荷物を配送する際に、書類を収納して配送品に貼り付けられるデリバリーパックであって、
１枚のシートの一端の下側に、開口部が前記シートの中央側に向けられた袋体が前記書類を保持可能に形成されていると共に、
前記袋体の下面側と前記シートの他端の下面側とに、前記配送品に貼付可能な粘着剤が塗布されており、
さらに、それぞれの前記粘着剤が剥離紙により覆われていることを特徴とするデリバリーパック。
【発明の詳細な説明】
【技術分野】
【０００１】
本発明は、荷物を配送する際に、荷物の明細票や納品書、領収書などの書類を収納して配送品に貼り付けられるデリバリーパックに関する。
【背景技術】
【０００２】
物品が梱包された荷物を配送する際には、一般に、図７に示すように、物品の明細票や納品書、領収書などの書類１０１が挿入口より挿入されて収納されたデリバリーパック１００が、配送品１０２に貼り付けられる（例えば特許文献１、２参照）。
【０００３】
このデリバリーパックは、基本的に、合成樹脂のシートからなる袋体、前記袋体の裏面に塗布された粘着剤および前記粘着剤を覆う剥離紙から構成されており、袋体に上記した書類を収納した後、剥離紙を剥がして袋体を配送品に押し付けることにより、デリバリーパックが配送品に貼り付けられる。
【先行技術文献】
【特許文献】
【０００４】
【特許文献１】実用新案登録第３１３０３２４号公報
【特許文献２】実用新案登録第３１３７５８８号公報
【発明の概要】
【発明が解決しようとする課題】
【０００５】
しかしながら、近年、このデリバリーパックに対するコスト削減の要請が益々強くなっており、デリバリーパックとしての機能を有しながら、コスト削減を徹底化させたデリバリーパックが求められている。
【０００６】
そこで、本発明は、デリバリーパックとしての機能を有しながら、コスト削減を徹底化させたデリバリーパックを提供することを課題とする。
【課題を解決するための手段】
【０００７】
本発明者は、上記課題の解決策を鋭意検討する過程において、従来、デリバリーパックの業界では、書類を落下させずに収納するためには、デリバリーパック全体が袋体に形成されている必要があるという既成概念があり、この既成概念に捉らわれ過ぎていることが、コスト削減の徹底化への取り組みの阻害要因になっている可能性があると考えた。
【０００８】
その結果、書類を落下させずに確実に配送先まで送ることさえできれば、デリバリーパック全体が袋体に形成されている必要はないという結論に思い至った。そして、配送の間、収納された書類が落下しないためには、長手方向の一端に書類を保持可能な小さな袋体を形成させておき、他端で配送中における書類の動きを規制することさえできればよいと考え、具体的に、以下に示す２種類のデリバリーパックを完成させた。
【０００９】
第１のデリバリーパックは、１枚のシートの一端が書類を保持可能な袋体に形成されていると共に、この袋体の下面側と、シートの他端側の上面側とに粘着剤が塗布されており、さらに、それぞれの粘着剤が剥離紙により覆われているデリバリーパックである。
【００１０】
このような構成のデリバリーパックは、デリバリーパックの一端に形成された袋体に書類の一端を挿入する一方、シートの他端側を書類の他端に沿って折り返すことによって、双方に塗布された粘着剤をシートの下面側に位置させることができるため、その後、剥離紙を剥がすことによりそのまま配送品に貼り付けることができる。
【００１１】
このとき、デリバリーパック中の書類は袋体と折り返し部によって動きが規制されるため、書類の落下を防止することができる。
【００１２】
そして、このような構成とすることにより、デリバリーパックにおけるシートの使用量を大幅に低減させることができるため、従来よりもコストの低減を十分に図ることができる。また、配送品に対する貼付面がシートの長手方向の両端のみに形成されているため、粘着剤の使用量も低減させることができ、この面からもコストの低減を図ることができる。
【００１３】
次に、第２のデリバリーパックは、１枚のシートの一端が書類を保持可能な袋体に形成されており、袋体の下面側に塗布された粘着剤が剥離紙により覆われている点では、第１のデリバリーパックと同様であるが、他端側の粘着剤が、上面側ではなく、下面側に塗布されているデリバリーパックである。
【００１４】
このような構成のデリバリーパックは、袋体の下面側と他端側の双方に塗布された粘着剤がシートの下面側に位置するため、第１のデリバリーパックと異なり、他端を折り返すことなく剥離紙を剥がすだけで配送品に貼り付けることができる。
【００１５】
このときにも、デリバリーパック中の書類は、シートの一端に形成された袋体と、配送品に貼り付けられた他端によって動きが規制されるため、書類の落下を防止することができる。
【００１６】
そして、第１のデリバリーパックより、さらにシートの使用量を低減させることができるため、一層のコストの低減を図ることができる。
【００１７】
請求項１、請求項２に記載の発明は、これらの知見に基づくものである。
【００１８】
即ち、請求項１に記載の発明は、
荷物を配送する際に、書類を収納して配送品に貼り付けられるデリバリーパックであって、
１枚のシートの一端の下側に、開口部が前記シートの中央側に向けられた袋体が前記書類を保持可能に形成されていると共に、
前記袋体の下面側と前記シートの他端の上面側とに、前記配送品に貼付可能な粘着剤が塗布されており、
さらに、それぞれの前記粘着剤が剥離紙により覆われていることを特徴とするデリバリーパックである。
【００１９】
そして、請求項２に記載の発明は、
荷物を配送する際に、書類を収納して配送品に貼り付けられるデリバリーパックであって、
１枚のシートの一端の下側に、開口部が前記シートの中央側に向けられた袋体が前記書類を保持可能に形成されていると共に、
前記袋体の下面側と前記シートの他端の下面側とに、前記配送品に貼付可能な粘着剤が塗布されており、
さらに、それぞれの前記粘着剤が剥離紙により覆われていることを特徴とするデリバリーパックである。
【発明の効果】
【００２０】
本発明によれば、デリバリーパックとしての機能を有しながら、コスト削減を徹底化させたデリバリーパックを提供することができる。
【図面の簡単な説明】
【００２１】
【図１】本発明の第１の実施の形態に係るデリバリーパックの構成を示す図であり、（ａ）は平面図、（ｂ）はＡ−Ａ断面図、（ｃ）はＢ−Ｂ断面図である。
【図２】本発明の第１の実施の形態に係るデリバリーパックの使用方法を説明する斜視図であり、（ａ）は書類が収納された保持部を配送品に貼り付けた状態を示し、（ｂ）はシートの他端を折り返して配送品に貼り付けた状態を示す。
【図３】図２に示すデリバリーパックのＣ−Ｃ断面図である。
【図４】本発明の第２の本実施の形態に係るデリバリーパックの構成を示す図であり、（ａ）は平面図、（ｂ）はＡ−Ａ断面図、（ｃ）はＢ−Ｂ断面図である。
【図５】本発明の第２の実施の形態に係るデリバリーパックの両端を搬送品に貼り付けた状態を示す斜視図である。
【図６】図５に示すデリバリーパックのＣ−Ｃ断面図である。
【図７】デリバリーパックを配送品に貼り付けた状態を模式的に示す斜視図である。
【発明を実施するための形態】
【００２２】
以下、本発明を第１の実施の形態、第２の実施の形態に基づき、図面を用いて説明する。
【００２３】
［１］第１の実施の形態
１．デリバリーパックの構成
図１は第１の実施の形態に係るデリバリーパック１の構成を示す図であり、（ａ）は平面図、（ｂ）はＡ−Ａ断面図、（ｃ）はＢ−Ｂ断面図である。
【００２４】
図１に示すように、本実施の形態に係るデリバリーパック１は、全体が袋体に構成された従来のデリバリーパックとは異なり、一端にのみ袋状の保持部１６が形成された１枚の合成樹脂製のシート１１により構成されている。
【００２５】
具体的には、本実施の形態においては、１枚のシート１１の一端を下側に折り返すことによって長尺の上側のシート１１ａと短尺の下側のシート１１ｂを形成した後、この端部において上側のシート１１ａと下側のシート１１ｂの両側縁が接合部１２で接合されている。
【００２６】
これにより、シート１１の一方の端部の下側に袋状の保持部１６が形成され、この袋状の保持部１６の開口部がシート１１の中央側に向けられる。
【００２７】
そして、保持部１６の下面側には粘着剤１５ｂが塗布されており、保持部１６とは反対側の端部の上面側にも粘着剤１５ａが塗布されている。そして、各々の粘着剤１５ａ、１５ｂは剥離紙１３、１４により覆われている。
【００２８】
２．デリバリーパックの使用方法
次に、本実施の形態に係るデリバリーパック１の使用方法について説明する。図２は第１の実施の形態に係るデリバリーパック１の使用方法を説明する斜視図であり、（ａ）は書類が収納された保持部を配送品に貼り付けた状態を示し、（ｂ）はシートの他端を折り返して配送品に貼り付けた状態を示す。また、図３は図２に示すデリバリーパックのＣ−Ｃ断面図である。
【００２９】
先ず、図２（ａ）に示すように、物品の明細票や納品書、領収書などの書類１０１の一方の端部を、上側のシート１１ａの下側から袋状の保持部１６に挿入して保持させた後、保持部１６下面側の粘着剤１５ｂから剥離紙１４（図１参照）を剥がして、シート１１の一端側に形成された保持部１６を配送品に貼り付ける。
【００３０】
次に、図２（ｂ）および図３に示すように、保持された書類１０１の他端に沿ってシート１１の他端側を下側に折り返す。これにより、上側のシート１１ａの上面側に塗布された粘着剤１５ａが下面に向けられる。この状態で、剥離紙１３を剥がしてシート１１の他端側を配送品に貼り付ける。これにより、デリバリーパック１の下面側の両端部が配送品に貼り付けられて、デリバリーパック１内に書類１０１が収納される。
【００３１】
このとき、保持部１６によって書類１０１の一端側の動きが３方向から規制されると共に、折り返されたシート１１によって書類１０１の他端側の動きが規制されるため、配送品の配送中に書類１０１がデリバリーパック１から抜け落ちることを適切に防止することができる。
【００３２】
以上のように、本実施の形態に係るデリバリーパックは、書類１０１を保持可能な小さな袋状の保持部１６が長手方向の一端に形成されているのみであるため、全体が袋体に構成された従来のデリバリーパックと異なり、合成樹脂製のシートの使用量を大幅に低減させることができるため、従来よりもコストの低減を十分に図ることができる。
【００３３】
また、本実施の形態においては、収納する書類の長さに応じて、シートの他端の折り返し位置を調整することができるため、長さの異なる多種類の書類に容易に対応することができる。
【００３４】
袋状の保持部１６を形成するには、溶剤タイプ、水性エマルジョンタイプ、ホットメルトタイプなどの接着剤を用いることもできるが、上側と下側のシート１１ａ、１１ｂ同士をヒートシールにより融着することが好ましい。なお、融着により形成された接合部には厚みが無いが、本明細書においては、理解の便宜のために図中の接合部１２に厚みをもたせて記載している（なお、後述する第２の実施の形態における接合部３２も同様である）。
【００３５】
［２］第２の実施の形態
１．デリバリーパックの構成
図４は第２の実施の形態に係るデリバリーパックの構成を示す図であり、（ａ）は平面図、（ｂ）はＡ−Ａ断面図、（ｃ）はＢ−Ｂ断面図である。
【００３６】
図４に示すように、本実施の形態に係るデリバリーパック３は、上記した第１の実施の形態と同様に、１枚の合成樹脂製のシート３１の一端を下側に折り返し、上側のシート３１ａと下側のシート３１ｂの両側縁を接合部３２で接合する。これにより、シート３１の一方の端部の下側に袋状の保持部３６が形成され、この袋状の保持部３６の開口部がシート３１の中央側に向けられる。
【００３７】
しかし、本実施の形態においては、保持部３６と反対側の粘着剤３５ａが、第１の実施の形態のようにシートの上面側ではなく、下面側に塗布されている。なお、保持部３６の粘着剤３５ｂについては、第１の実施の形態と同様に、保持部３６の下面側に塗布されており、それぞれの粘着剤３５ａ、３５ｂは剥離紙３３、３４により覆われている。
【００３８】
２．デリバリーパックの使用方法
上記した第２の実施の形態に係るデリバリーパック３の使用方法について説明する。図５は第２の実施の形態に係るデリバリーパックの両端を搬送品に貼り付けた状態を示す斜視図であり、図６は図５に示すデリバリーパックのＣ−Ｃ断面図である。
【００３９】
本実施の形態においても、上記した第１の実施の形態と同様に、書類１０１の一方の端部を、上側のシート３１ａの下側から袋状の保持部３６に挿入して保持させた後に、保持部３６下面側の第２粘着剤３５ｂから剥離紙３４（図４参照）を剥がして、保持部３６が設けられたシート３１の一端を配送品に貼り付ける。
【００４０】
しかし、本実施の形態においては、第１の実施の形態と異なり、シート３１の一端を貼り付けた後に、シート３１の他端側を下側に折り返すことなく、シート３１の他端側の下面側に塗布された粘着剤３５ａから剥離紙３３を剥がして、シート３１の他端側を配送品に貼り付ける。これにより、デリバリーパック３のシート３１の両端が配送品に貼り付けられ、デリバリーパック３内に書類１０１が収納される。
【００４１】
本実施の形態においては、シート３１の一端に設けられた保持部３６により書類１０１の一端の動きを３方向から規制すると共に、配送品に貼り付けられたシート３１の他端によって書類１０１の他端の動きを規制し、書類１０１が抜け落ちることを適切に防止することができる。
【００４２】
そして、上記した第１の実施の形態と同様に、書類１０１を保持可能な小さな袋状の保持部３６が長手方向の一端に形成されているのみであるため、全体が袋体に構成された従来のデリバリーパックと異なり、合成樹脂製のシートの使用量を大幅に低減させることができるため、従来よりもコストの低減を十分に図ることができる。
【００４３】
さらに、本実施の形態においては、第１の実施の形態とは異なり、保持部３６と反対側の端部を折り返す必要がない。このため、同じ寸法の書類１０１を保持する場合であっても、シート３１全体の長さを第１の実施の形態よりも短くすることができるため、更なるコスト削減に貢献することができる。
【００４４】
また、配送品に貼り付けるに際して、保持部３６と反対側の端部を折り返す手間が省けるため、第１の実施の形態に係るデリバリーパック１よりも容易に配送品に貼り付けることができる。
【００４５】
なお、第２の実施の形態に係るデリバリーパック３の場合、使用する書類１０１の寸法に応じて、シートの長さを適宜調整することが好ましい。
【００４６】
なお、第１および第２の実施の形態では、袋状の保持部を形成するに際して、上記したように、一枚のシートの一方の端部を下側に折り返して重ね合わせた状態で両側縁を接合しているが、本発明はこれに限定されない。例えば、図１中の上側のシート１１ａと下側のシート１１ｂを、長さが異なる２枚のシートで構成し、両側縁と共に長手方向の端部の縁を接合してもよい。
【００４７】
以上、本発明を実施の形態に基づいて説明したが、本発明は、上記の実施の形態に限定されるものではない。本発明と同一および均等の範囲内において、上記の実施の形態に対して種々の変更を加えることが可能である。
【符号の説明】
【００４８】
１、３、１００                  デリバリーパック
１１、３１                      シート
１１ａ、３１ａ                  上側のシート
１１ｂ、３１ｂ                  下側のシート
１２、３２                      接合部
１３、１４、３３、３４          剥離紙
１５ａ、１５ｂ、３５ａ、３５ｂ  粘着剤
１６、３６                      保持部
１０１                          書類
１０２                          配送品
【図１】
2017024283.tif 000003
【図２】
2017024283.tif 000004
【図３】
2017024283.tif 000005
【図４】
2017024283.tif 000006
【図５】
2017024283.tif 000007
【図６】
2017024283.tif 000008
【図７】
2017024283.tif 000009